(57)【要約】 【課題】  指示入力情報（１５）を照光するバックライト光の色調で、操作者により確実に指示入力で制御しようとする制御データの内容を伝達できる指示入力装置を提供する。【解決手段】  赤、緑、青の３原色で発光する３個の発光素子１２Ｒ、１２Ｇ、１２Ｂ））の発光強度又は発光時間を調整し、指示入力の指標となる指示入力情報（１５）の内容に合わせた色調のバックライト光を表示パネル（４）の背面側に導光し、表示パネル（４）に表示された指示入力情報（１５）を背面側から照光するので、操作者は、バックライト光の色調と合わせてより効果的に指示入力情報（１５）を認識することができる【選択図】  図３
2005223738.tif 000002
【特許請求の範囲】
【請求項１】
表示領域に、任意の指示入力情報（１５）を表示可能な表示パネル（４）と、
赤、緑、青の３原色で発光する３個の発光素子（１２Ｒ、１２Ｇ、１２Ｂ））の組み合わせで構成され、３個の発光素子（１２Ｒ、１２Ｇ、１２Ｂ））の発光強度又は発光時間を調整して任意の色調のバックライト光を発光するバックライト光源（１２）と、
表示パネル（４）の背面側に沿って積層配置され、バックライト光源（１２）から発光されるバックライト光を表示パネル（４）の背面側に導光する導光板（６）と、
表示領域が目視可能な状態で、表示領域の背面側若しくは表面側に沿って操作エリア（２０）が設定され、操作エリア（２０）への指示入力位置を検出する操作パネル（２５）と、
指示入力位置が、操作エリア（２０）の一部に設定された指示入力エリア（２１）内にあるときに、その指示入力エリア（２１）に関連づけられた制御データを出力するデータ出力部（３０）とを備え、
指示入力の指標として表示領域に表示される指示入力情報（１５）を、背面側から指示入力情報（１５）の内容に合わせた色調のバックライト光で照光することを特徴とする指示入力装置。
【請求項２】
指示入力情報（１５）は、給湯器から給湯される湯の温度を設定する指示入力の指標として、設定給湯温度を表示する表示情報であり、設定給湯温度によりバックライト光の色調が可変することを特徴とする請求項１記載の指示入力装置。
【請求項３】
設定給湯温度の温度上昇に伴って、バックライト光が青から赤に順次変化することを特徴とする請求項２記載の指示入力装置。
【請求項４】
操作パネル（２５）は、指示入力エリア（２１）毎に、少なくとも一対の発光手段（９）と受光手段（１０）が表示パネル（４）の背面側内方に配設され、指示入力エリア（２１）を通して発光手段（９）から外方へ発光した固有光信号を、同一の指示入力エリア（２１）で対となる受光手段（１０）が受光した際に、その指示入力エリア（２１）への指示入力位置を検出したものとする光学式操作パネルであることを特徴とする請求項１乃至請求項４のいずれか１項に記載の指示入力装置。
【発明の詳細な説明】
【技術分野】
【０００１】
本発明は、主に家電機器へ種々の指示入力作を行う為の指示入力装置に関し、更に詳しくは、指示入力の指標として表示パネルで表示される指示入力情報を、背面側からバックライト光で照光し、指示入力情報を見やすくした指示入力装置に関する。
【背景技術】
【０００２】
従来、液晶表示装置等で構成された表示パネルと操作パネルを積層させた指示入力装置が知られている（例えば特許文献１参照）。表示パネルには、種々の指示入力の指標となる指示入力情報が表示され、操作者は、操作パネルの操作領域において、これらの表示を参考に対応する位置を指示入力する。
【０００３】
【特許文献１】特開２０００−２３１４４２号（明細書第６欄９行乃至４７行、図２）
【０００４】
以下、この種の従来の指示入力装置１００を図９と図１０で説明すると、指示入力装置１００は、矩形状の筐体１０１内に、外方（前方）から液晶表示パネル１０２、導光板１０３、操作パネル１０４が積層配置されている。
【０００５】
液晶表示パネル１０２は、指示入力装置１００に対する指示入力の内容に応じて、図示しない液晶ドライバにより、その表示領域へ複数の指示入力情報１０５、１０５（図１０参照）を所定位置に表示するもので、操作者はこの指示入力情報１０５を目安に後述する指示入力を行う。
【０００６】
導光板１０３の側方には、端面に沿って冷陰極線管１０７が配置され、導光板１０３は、冷陰極線管１０７から発光されるバックライト光を散乱させながら液晶表示パネル１０２の背面側に導光する。これにより、液晶表示パネル１０２の表示領域は、その背面側からバックライト光で照光され、指示入力情報１０５が見やすいものとなる。
【０００７】
操作パネル１０４は、電磁誘導方式で位置指定ペン１０６による指示入力位置を検出するもので、位置指定ペン１０６から送出される電磁波を検出するために、ＸＹ方向に複数のループコイルが形成されている。これにより、液晶表示パネル１０２の表面側に表示領域に沿った操作エリアが形成され、操作エリアに接近させた位置指定ペン１０６の指示入力位置が検出される。
【０００８】
すなわち、操作者が所定の電磁波を送出する位置指定ペン１０６を操作エリアに接近させると、その指示入力位置でのループコイルに発生する誘導起電力の振幅が最大となり、ＸＹ方向それぞれで振幅が最大となるループコイルの位置から、指示入力位置のＸ、Ｙ座標が検出される。
【０００９】
一般にこのように構成された指示入力装置１００においては、操作エリア内の任意位置で互いに重ならない複数の指示入力エリアが設定されている。各指示入力エリアには、所定の制御データが関連づけられ、操作パネルで検出した指示入力位置が特定の指示入力エリア内にあると、その指示入力エリアに関連づけられた制御データが被制御機器へ出力される。
【００１０】
液晶表示パネル１０２に表示される指示入力情報１０５は、指示入力の指標として、この指示入力エリアに関連づけられた制御データに関連する内容が表示される。例えば図１０に示すように、制御データが給湯器に対して給湯温度を制御するものである場合に、設定給湯温度を上昇させる制御データが関連づけられた指示入力エリアの表示領域に「上向き三角」の指示入力情報１０５ａが、下降させる制御データが関連づけられた指示入力エリアの表示領域に「下向き三角」の指示入力情報１０５ｂが、また、その他の表示領域に、現在設定されている給湯温度等の給湯温度設定の指標となる指示入力情報１０５ｃが、それぞれ表示される。
【００１１】
操作者が「上向き三角」の指示入力情報１０５ａへ位置指定ペン１０６を接近させると給湯温度を上昇させる制御データが関連づけられた指示入力エリア内の指示入力位置が検出され、設定給湯温度を上昇させる制御データが給湯器へ出力されると共に、上昇した設定温度の指示入力情報１０５ｃが新たに表示される。従って、操作者は、液晶表示パネル１０２の指示入力情報１０５を確認しながら、希望する指示入力を行うことができる。
【発明の開示】
【発明が解決しようとする課題】
【００１２】
このように構成された指示入力装置１００では、表示パネル１０２自体が光源を持たないので、指示入力情報１０５を見やすくするために、導光板１０３をその背面側に配置し、背面側からバックライト光で照光している。
【００１３】
しかしながら、単純に液晶表示パネル１０２の背面側を単色光で照光するだけのものであることから、例えば、給湯設定温度を５０℃とする制御を誤って指示入力してしまう場合のように、指示入力で制御しようとする制御内容が異常なものであっても、５０℃と表示される指示入力情報１０５の表示のみでは、その制御内容が異常であることを操作者に伝達しにくく、誤った指示入力のまま制御が実行される危険があった。
【００１４】
また、この種の指示入力装置１００は、被制御機器の付属装置であることから、ＣＲＴやフルカラーの液晶表示パネル等の高価若しくは構成が大型化する複雑な部品を、表示パネル１０２として採用することができず、デザイン上制約される単色で単調な表示とならざるを得なかった。
【００１５】
本発明は、このような従来の問題点を考慮してなされたものであり、指示入力情報を照光するバックライト光の色調で、操作者により確実に指示入力で制御しようとする制御データの内容を伝達できる指示入力装置を提供することを目的とする。
【００１６】
また、安価でかつ簡単な構成で、表示領域の背景を多彩な色調で、操作者の嗜好に合わせた種々のデザインとする指示入力装置を提供することを目的とする。
【課題を解決するための手段】
【００１７】
上述の目的を達成するため、請求項１の指示入力装置は、表示領域に、任意の指示入力情報を表示可能な表示パネルと、赤、緑、青の３原色で発光する３個の発光素子の組み合わせで構成され、３個の発光素子の発光強度又は発光時間を調整して任意の色調のバックライト光を発光するバックライト光源と、表示パネルの背面側に沿って積層配置され、バックライト光源から発光されるバックライト光を表示パネルの背面側に導光する導光板と、表示領域が目視可能な状態で、表示領域の背面側若しくは表面側に沿って操作エリアが設定され、操作エリアへの指示入力位置を検出する操作パネルと、指示入力位置が、操作エリアの一部に設定された指示入力エリア内にあるときに、その指示入力エリアに関連づけられた制御データを出力するデータ出力部とを備え、指示入力の指標として表示領域に表示される指示入力情報を、背面側から指示入力情報の内容に合わせた色調のバックライト光で照光することを特徴とする。
【００１８】
３個の発光素子の光強度または発光時間をそれぞれ調整するだけで、指示入力情報の内容に合わせた色調のバックライト光が、任意の時間、背面側から照光される。
【００１９】
請求項２の指示入力装置は、指示入力情報は、給湯器から給湯される湯の温度を設定する指示入力の指標として、設定給湯温度を表示する表示情報であり、設定給湯温度によりバックライト光の色調が可変することを特徴とする。
【００２０】
給湯する湯の設定温度に合わせてバックライト光の色調が変化するので、操作者が設定しようとする温度をより確実に認識できる。
【００２１】
請求項３の指示入力装置は、設定給湯温度の温度上昇に伴って、バックライト光が青から赤に順次変化することを特徴とする。
【００２２】
給湯する湯の設定温度に合わせてバックライト光が青から赤に変化するので、温度設定の目安をバックライト光の色調から知ることかできる。特に、高温の給湯温度に設定しようとする場合には、指示入力情報の背面が赤くなるので、誤って高温の設定を指示することがない。
【００２３】
請求項４の指示入力装置は、操作パネルは、指示入力エリア毎に、少なくとも一対の発光手段と受光手段が表示パネルの背面側内方に配設され、指示入力エリアを通して発光手段から外方へ発光した固有光信号を、同一の指示入力エリアで対となる受光手段が受光した際に、その指示入力エリアへの指示入力位置を検出したものとする光学式操作パネルであることを特徴とする。
【００２４】
非接触操作で、その指示入力エリアの指示入力位置が検出される。操作者は、任意の色調のバックライト光がその指示入力エリアの背面側に導光されることによって、非接触であっても指示入力が検出されたことを認識できる。
【発明の効果】
【００２５】
請求項１の発明によれば、３個の発光素子を用いるだけで、任意の色調のバックライト光を表示パネルの背面側に導光させることができ、安価で装置全体の厚みを変えることなく、表示領域を多種多彩なデザインで表示可能となる。
【００２６】
また、指示入力情報は、その内容に合わせた色調のバックライト光で背面側から照光されるので、操作者はバックライト光の色調と合わせてより効果的に指示入力情報を認識することができる。
【００２７】
また、請求項２の発明によれば、操作者は、給湯する湯の設定温度を表示する指示入力情報の背面側を照光するバックライト光の色調変化で、確実に給湯温度を認識できる。
【００２８】
これに加えて請求項３の発明によれば、給湯する湯の設定温度に合わせてバックライト光が青から赤に変化するので、指示入力情報の表示が操作者に見えづらい状況にあっても、バックライト光の色調を目安に適温に設定できる。
【００２９】
給湯温度の設定では、異常値となる高温が設定されると、指示入力情報の背景が赤くなるので、誤って異常値を設定することを防止できる。
【００３０】
これに加えて請求項４の発明によれば、指示入力エリアへ指若しくは操作体を接近させるだけの非接触操作で、その指示入力エリアに関連づけられた制御データが出力されるので、指示入力検出のための可動部品を持たず、耐久性、防水性にすぐれた指示入力装置とすることできる。
【発明を実施するための最良の形態】
【００３１】
以下、本発明に係る指示入力装置１の一実施の形態を、図１乃至図８を用いて説明する。図１は、指示入力装置１の斜視図で、防水性が求められる風呂の給湯器を制御する指示入力装置として、図示しないバスタブから操作できるバスルームの壁面に沿って取り付けられるものである。本実施の形態に係る指示入力装置は、後述するように光学式操作パネルを用いて指示入力を検出するので、防水性が要求される給湯器、洗濯機などを制御する指示入力装置に特に適しているが、音響機器、空調機器など他の電気機器を制御する指示入力装置としてこれらの筺体に取り付けられるものでもよい。
【００３２】
指示入力装置１は、矩形の透明アクリル板３で表面が保護された内方（図２において下方）に、外方から液晶表示パネル４、拡散シート５、導光板６、反射シート７及び遮光板８が互いの対向面を貼り付けて積層配置されるとともに、その更に内方に赤外発光素子９と赤外受光素子１０を実装したプリント配線基板１１が配置され、これらの全体が合成樹脂製の筐体２内に収容されている。
【００３３】
プリント配線基板１１の端部の複数箇所には、発光面を導光板６の端面と対向させた３色発光ダイオード１２が実装されている。３色発光ダイオード１２は、導光板６に向けて液晶表示パネル４のバックライト光を発光させるバックライト光源となるもので、赤色、緑色及び青色をそれぞれ発光する発光ダイオード１２Ｒ、１２Ｇ、１２Ｂを樹脂モールドで一体化して形成されている。
【００３４】
３色発光ダイオード１２の各発光ダイオード１２Ｒ、１２Ｇ、１２Ｂは、図３に示す３色ＬＥＤドライバ１８によって個別に発光制御され、各素子の発光時間と発光タイミングを制御することで、所望の色調のバックライト光が発光される。例えば、図５に示すタイミングで、緑色を発光する発光ダイオード１２Ｇの発光を停止し、赤色を発光する発光ダイオード１２Ｒと青色を発光する発光ダイオード１２Ｂを発光させると、赤みがかった紫色のバックライト光が発光される。また、バックライト光の色調は、この他、各発光ダイオード１２Ｒ、１２Ｇ、１２Ｂの発光強度を相対的に調整するすることによっても、任意の色合いが得られる。
【００３５】
筐体２は、外方に開口する枡形に形成され、枡形の上方に突き出た固定枠の段差に、透明アクリル板３の周囲の段部を係合させることにより、透明アクリル板３とその周囲の筐体２の表面が同一平面上に整列する。また、ここでは、筐体２と透明アクリル板３間を防水性接着剤により密封した状態で接着し、筐体２内に水滴、埃等が侵入しないようにしている。
【００３６】
液晶表示パネル４は、液晶ドライバ３４により、給湯器に対する制御データを表す指示入力情報１５ａや、給湯器の動作状態や操作のための種々の案内を示す指示入力情報１５ｂを、透明アクリル板３を通して任意の位置に表示（図６乃至図８参照）自在としている。
【００３７】
導光板６は、その表面（液晶表示パネル４との対向面）に貼り付けられた拡散シート５と、背面側に貼り付けられた白色の反射シート７とに挟まれ、３色発光ダイオード１２から発光されるバックライト光を、内部で散乱させながら液晶表示パネル４の背面側に導光している。本実施の形態では、図１に示すように、透明アクリル板３の表面が操作エリア２０となり、その操作エリア２０に破線で表示する複数の指示入力エリア２１が設定され、導光板６は、遮光板８から立設されたしきい板１６で指示入力エリア２１毎に仕切られている。前述した３色発光ダイオード１２は、しきい板１６で仕切られた指示入力エリア２１毎に導光板６の端面に対向して配設され、これにより指示入力エリア２１毎に異なるバックライト光が導光されるようになっている。
【００３８】
表面に貼り付けられた拡散シート５は、導光板６から外方に発光される光を拡散して、３色発光ダイオード１２や赤外発光素子９の光源が、透明アクリル板３の外方から直接目視できないようするものであり、あたかも液晶表示パネル４による表示の背景全体がバックライト光でむらなく照光されたように見える。
【００３９】
反射シート７は、上述のように表面に白色の塗料を塗布することにより、導光板６との対向面を白色としているので、バックライト光の色彩が変化することによって、液晶表示パネル４による表示の背景も、その色彩より変化したように目視される。反射シート７と遮光板８には、赤外発光素子９と赤外受光素子１０の上方にそれぞれ対応して小孔１７が穿設されている。これらの小孔１７は、例えば、内径が１乃至１．５ｍｍ程度の小孔１７であり、また、導光板６の表面側の拡散シート５により光路が散乱されるので、透明アクリル板３の外方からは、目視されない。
【００４０】
プリント配線基板１１は、遮光板８の背面側に沿って取り付けられ、このプリント配線基板１１に各指示入力エリア２１毎に対となる赤外発光素子９と赤外受光素子１０で構成される操作検出ユニットＵが実装されている。操作検出ユニットＵは、ここでは、９種類の指示入力エリア２１Ａ、２１Ｂ、・・２１Ｉに対応して、対となる赤外発光素子９と赤外受光素子１０とからなる操作検出ユニットＵ１、Ｕ２・・Ｕ９が配置されている。これらの操作検出ユニットＵと、指示入力エリア２１が設定された透明アクリル板３及び後述のマイコン３０で、指示入力エリア２１に対する指示入力位置を検出する操作パネル２５が構成される。
【００４１】
発光手段となる赤外発光素子９は、赤外発光ダイオードで構成され、図２に示すように、小孔１７を通して外方へ固有光信号である赤外光を発光する。また、受光手段となる赤外受光素子１０は、受光面が赤外フィルター（図示せず）で覆われたフォトダイオードで構成され、小孔１７を通過して到達する固有光信号を受光するようになっている。
【００４２】
図３に示すように、赤外発光素子は、例えば、４５５ｋＨｚの固有周波数の固有周波数でＬＥＤドライバ３１により駆動制御されるもので、ＬＥＤドライバ３１から駆動制御データが出力されている間、赤外発光素子から４５５ｋＨｚの赤外信号である固有光信号が発光される。
【００４３】
ＬＥＤドライバ３１の入力側には、マイコン３０の制御出力端子が接続され、マイコン３０によって、各操作検出ユニットＵのＬＥＤドライバ３１の駆動制御データが、互いに重複しない周期Ｔで出力制御され、各操作検出ユニットＵから発光される固有光信号は、図４に示すタイミングでそれぞれの赤外発光素子９から発光される。
【００４４】
赤外受光素子１０の出力には、バンドパスフィルタ３２が接続されている。バンドパスフィルタ３２は、赤外受光素子１０で光電変換された４５５ｋＨｚの固有周波数の光電変換信号を波形整形回路３３へ出力するものであり、従って、赤外受光素子１０が、固有光信号を受光した場合にのみ、その光電変換信号を波形整形回路３３を介してマイコン３０へ出力することとなる。これにより、自然光、他のリモコン送信信号などと、対となる赤外発光素子９が発光した固有光信号とを、識別することができる。
【００４５】
マイコン３０には、「電源」「給湯」「給湯温度設定」等の各種制御データや、液晶表示パネル４へ表示する指示入力情報１５等の表示データ、その表示を表示制御するプログラム等が記憶されたＲＯＭ３５とＲＯＭ３５から読み出したプログラム、マイコン３０に入力されたデータなどを一時記憶するＲＡＭ３６が接続されている。この内、制御データは、マイコン３０で制御される指示入力装置１のモード毎に各指示入力エリア２１にそれぞれ関連づけて記憶されている。例えば、指示入力エリア２１Ｆには、図６に示す初期モードで、「電源ＯＦＦ」の制御データが、図７に示す給湯温度設定モードでは、「初期モードに戻る」制御データが、それぞれ関連づけられて記憶されている。
【００４６】
マイコン３０は、いずれかの操作検出ユニットＵから対となる赤外受光素子１０の発光タイミングで光電変換信号が入力された場合に、その操作検出ユニットＵが配置された指示入力エリア２１内の指示入力位置が検出されたものとする。マイコン３０内のデータ変換部では、特定の操作検出ユニットＵから光電変換信号が入力されると、その操作検出ユニットＵが配置された指示入力エリア２１内の指示入力位置が検出されたものとして、当該指示入力エリア２１に関連づけられた制御データへ変換する。制御データは、給湯器へ出力して給湯器の動作を制御したり、モード変更など指示入力装置１自体の動作を制御する。
【００４７】
液晶表示パネル４は、マイコン３０に接続された液晶ドライバ３４により表示制御されるもので、図６乃至図８に示すように、指示入力の指標となる指示入力情報１５や、給湯器の動作や指示入力のための種々の案内の指示入力情報１５を、ＲＯＭ３５に記憶された表示プログラムに従って表示する。
【００４８】
表示プログラムは、これらの表示を指示入力装置１のモード変換にともなって液晶表示パネル４の表示領域に可変表示するもので、その内、指示入力情報１５は、各動作モードにおいて、指示入力エリア２１に制御データが関連づけられている場合に、その指示入力エリア２１に対応する表示領域に表示される。液晶表示パネル４の表示領域は、透明アクリル板３を通して上方（外方）から視認できるので、操作者は、指示入力情報１５に指などを接近させて指示入力を行うことにより、指示入力情報１５が表す制御データを出力することができる。
【００４９】
以下、このように構成された指示入力装置１の動作を更に詳細に説明する。図６に示す初期モードでは、例えば、各指示入力エリア２１Ｂ乃至２１Ｉにそれぞれ種々の制御データが関連づけられ、その下方の液晶表示パネル４の表示領域に、これらの制御データの内容を表す指示入力情報１５ａが表示されている。また、指示入力エリア２１Ａには、特に制御データが関連づけられていないが、その下方の表示領域に、現在の台所の給湯設定温度を示す「４２℃」の指示入力情報１５ｂが表示されている。
【００５０】
この初期モードにおいて、指示入力エリア２１Ｂ乃至２１Ｉに配置された３色発光ダイオード１２、１２・・は、３色ＬＥＤドライバ１８により、緑色のバックライト光を発光するように制御され、制御データが関連づけられたこれらの指示入力エリア２１Ｂ乃至２１Ｉの背面側は、緑色となっている。一方、制御データが関連づけられていない指示入力エリア２１Ａに配置され３色発光ダイオード１２は、発光制御されず、その背面には、白色の反射シート７がそのまま表れ、白色となっている。従って、操作者は、表示領域に表示された指示入力情報１５のうち、入力操作によって所定の制御が行われる指示入力情報１５ａと単なる状態表示や操作の案内の為の指示入力情報１５ｂとを、その背面側のバックライト光の色彩により判別できる。
【００５１】
初期モードにおいて、例えば、「給湯温度設定」を行うために指示入力エリア２１Ｈの上方に指５０を接近させると、指示入力エリア２１Ｈに対応して設けられた操作検出ユニットＵ８の赤外発光素子９より、周期Ｔで指示入力エリア２１Ｃの外方に固有光信号が発光されているので、固有光信号は指５０で反射され、再び、指示入力エリア２１Ｈ内の同じ操作検出ユニットＵ８の赤外受光素子１０に入力される。マイコン３０は、赤外受光素子１０で光電変換された光電変換信号を、同じ操作検出ユニットＵ８の赤外発光素子９が固有光信号を発光したタイミングとほぼ同時に入力するので、その指示入力エリア２１Ｈに対して指示入力が実行されたものと判定して、関連づけられた「給湯温度設定」の制御データを出力し、指示入力装置１は、給湯の設定温度を変更する図７に示す給湯温度設定モードに移行する。
【００５２】
このときに、他の操作検出ユニット（例えばＵ３）の赤外発光素子においても、指５０で反射された固有光信号を受光することがあるが、その操作検出ユニットＵ３の赤外発光素子９が固有光信号を発光するタイミングと異なるタイミングで、光電変換信号がマイコン３０に入力されるので、その操作検出ユニットＵ３に対する指示入力とは認識しない。
【００５３】
指示入力エリア２１Ｈに対して指示入力が実行されたとマイコン３０が認識すると、そのエリア３０Ｈの背面を照光する３色発光ダイオード１２が点滅し、指示入力エリア２１Ｈの背面側は、緑色に点滅する。従って、操作者は、指示入力エリア２１Ｈへの指示入力が正しく検出されたかを、指示入力エリア２１Ｈ背面のバックライト光の点滅によって知ることができる。
【００５４】
給湯温度設定モードでは、図７に示すように、給湯温度設定モードであることを示す「給湯温度の設定」と、現在の設定温度である「４２℃」の指示入力情報１５ｂが表示領域に表示される。また、「４２℃」の指示入力情報１５ｂの左側の表示領域には、指示入力エリア２１Ｃに関連づけられた「設定温度を下げる」制御データを表す下向き三角の指示入力情報１５ａが、同様に、右側の表示領域には、指示入力エリア２１Ｅに関連づけられた「設定温度を上げる」制御データを表す上向き三角の指示入力情報１５ａが表示される。
【００５５】
指示入力エリア２１Ｃに配置された３色発光ダイオード１２は、３色ＬＥＤドライバ１８の制御によって青色に発光制御され、指示入力エリア２１Ｅに配置された３色発光ダイオード１２は、赤色に発光制御される。これにより、操作者は、設定温度を下げようとするときには、冷たさを表す青色で背面が照光された指示入力エリア２１Ｃを、逆に設定温度を上げようとするときには、暖かさを表す赤色で背面が照光された指示入力エリア２１Ｅを、それぞれの背景色を目安に入力操作することができる。
【００５６】
また、表示領域に給湯設定温度が表示される指示入力エリア２１Ｄに配置された３色発光ダイオード１２は、設定温度に応じてその発光色が変化するように３色ＬＥＤドライバ１８で制御される。すなわち、適温と考えられる４２℃を基準温度として、設定温度が基準温度である場合には、赤色を発光する発光ダイオード１２Ｒと青色を発光する発光ダイオード１２Ｂを同じ発光時間で同時に発光させ、ピンク色のバックライト光を発光させる。また、基準温度を超えて設定温度が設定された場合には、その越えた温度差に応じて青色を発光する発光ダイオード１２Ｂの発光時間を減少させ、逆に設定温度が基準温度未満である場合には、基準温度との温度差に応じて赤色を発光する発光ダイオード１２Ｒの発光時間を減少させる。これにより、給湯設定温度が表示された表示領域の背景は、給湯設定温度が低温から高温となるにつれて、青から赤に変化し、操作者は、その背景色を目安に、設定した給湯温度が適温であるかどうかを認識できる。
【００５７】
図８は、図６に示す初期モードにおいて「おいだき」と表示された指示入力エリア２１Ｇを入力操作し、浴槽のおいだきモードに移行した指示入力装置１を示すもので、おいだきに移行してからの経過時間を示す指示入力情報１５ｂが指示入力エリア２１Ｄ、２１Ｅの表示領域に、浴槽のおいだきの様子を図で表した指示入力情報１５ｂが指示入力エリア２１Ｇの表示領域にそれぞれ表示されている。
このおいだきモードにおいて、指示入力エリア２１Ｇに配置された３色発光ダイオード１２は、おいだきモードに移行してからの経過時間に応じてその発光色が青色から赤色に変化するように３色ＬＥＤドライバ１８で制御される。従って、操作者は、おいだきによる浴槽内の湯の温度を、その背景色を目安に認識できる。
【００５８】
以上の実施の形態では、操作パネルとして非接触で指示入力を行う光学式操作パネルを用いたが、表示パネルに直接接触して指示入力を行うものであってもよく、また、操作エリアに設定したいずれかの指示入力エリアへの操作を検出できるものであれば、感圧式タブレットなど他の方式の操作パネルでもよい。この場合に、表示パネルは、指示入力エリア内の指示入力位置の検出が可能で、外方から目視できれば、操作パネルに対して鉛直方向のいずれに積層配置するものであってもよい。
【００５９】
また、３個の発光素子からなるバックライト光源は、指示入力エリア毎に配置したが、これに限らず、任意の数を任意の場所に配置してもよい。
【００６０】
更に、バックライト光源となる３色ＬＥＤは、３個の発光素子を樹脂で一体化したもので説明したが、それぞれを接近させてプリント配線基板上に実装するものであってもよい。
【産業上の利用可能性】
【００６１】
本発明は、指示入力の指標となる指示入力情報の背面側をバックライト光で照光する指示入力装置に適している。
【図面の簡単な説明】
【００６２】
【図１】本発明の一実施の形態に係る指示入力装置１の斜視図である。
【図２】指示入力装置１の縦断面図である。
【図３】指示入力装置１の構成を示すブロック図である。
【図４】各操作検出ユニットＵから発光される固有光信号を示すタイミングチャートである。
【図５】３色発光ダイオード１２の各発光ダイオード１２Ｒ、１２Ｇ、１２Ｂの発光制御を示すタイミングチャートである。
【図６】初期モードでの指示入力装置１の平面図である。
【図７】給湯温度設定モードでの指示入力装置１の平面図である。
【図８】おいだきモードでの指示入力装置１の平面図である。
【図９】従来の指示入力装置１００を示す分解斜視図である。
【図１０】給湯温度設定モードでの指示入力装置１００の分解斜視図である。
【符号の説明】
【００６３】
１      指示入力装置
４      表示パネル
６      導光板
９      赤外発光素子（発光手段）
１０    赤外受光素子（受光手段）
１２    ３色ＬＥＤ（バックライト光源）
１２Ｒ   赤色発光ダイオード
１２Ｇ   緑色発光ダイオード
１２Ｂ   青色発光ダイオード
１５    指示入力情報
２０    操作エリア
２１    指示入力エリア
２５    操作パネル
３０    マイコン（データ出力部）
【図１】
2005223738.tif 000003
【図２】
2005223738.tif 000004
【図３】
2005223738.tif 000005
【図４】
2005223738.tif 000006
【図５】
2005223738.tif 000007
【図６】
2005223738.tif 000008
【図７】
2005223738.tif 000009
【図８】
2005223738.tif 000010
【図９】
2005223738.tif 000011
【図１０】
2005223738.tif 000012